(57)【要約】【課題】動物が暴れた場合でも外れにくく、動物の頸部が強く圧迫される事態がまったく起こらない上、動物の制御を容易なものとすることができ、安価かつ容易に製造することが可能なペット用ハーネスを提供する。【解決手段】ペット用ハーネス１は、外周の長さを同じくする２つの環状体２ａ，２ｂが、上下の二点（Ｃ１，Ｃ２）において互いに交差して結束されている。そして、各環状体２ａ，２ｂの上下の交差点より前側の部分および後側の部分の長さが、それぞれ略同一になっている。また、上側の交差点（Ｃ１）際に、手綱を係合させるための上側リング体５が固着されている。【選択図】図１
2012217412.tif 000002
【特許請求の範囲】
【請求項１】
ペットとして飼われる四足動物に装着させるためのペット用ハーネスであって、
外周の長さを同じくする２つの環状体が、上下の二点において互いに交差して結束されており、各環状体の上下の交差点より前側の部分および後側の部分の長さが、それぞれ略同一になっているとともに、
前記上側の交差点際に、手綱を係合させるための係合部材が固着されていることを特徴とするペット用ハーネス。
【請求項２】
各環状体が、上下の交差点より後側の部分の長さを、上下の交差点より前側の部分の長さよりも長くした状態で互いに結束されており、
各環状体の上下の交差点よりも後側の部分の中間が、離反、結合可能になっていることを特徴とする請求項１に記載のペット用ハーネス。
【発明の詳細な説明】
【技術分野】
【０００１】
本発明は、四足動物のペットに装着するペット用ハーネスに関するものである。
【背景技術】
【０００２】
犬、猫、フィレット等の四足動物のペットを牽引するためにそれらの動物に装着するペット用ハーネス（首輪や胴輪）としては、単純な円形のリング体のみならず、特許文献１の如く、犬の胴部に巻き付ける胴輪部の前側に、動物の首に巻き付ける首輪部を形成するための紐体の両端を係着させるとともに、胴輪部の中間に胴輪部を開放可能な接離部材を設けたものが知られている。かかるペット用ハーネスによれば、首と胴の２カ所で動物を把持、拘束できるため、動物が暴れても外れにくいものとなる。
【０００３】
また、特許文献２の如く、ペットの頸部に巻き回される頸部用帯、ペットの腹部に巻き回される腹部用帯、および、それらの頸部用帯および腹部用帯をペットの胸部において一定の面積をもって連結する連結布部材からなるベスト部と、ペットの背中中央に位置したリードを係合させるためのリード係合部と、ペットの腹部に巻き付けた左右の腹部用帯の先端をペットの頸部の後方で係合保持させるための装着部とを備えたペット用ハーネスも知られている。かかるペット用ハーネスによれば、リード（手綱）を引っ張った際に、ペットの頸部が締め付けられる、という事態が起こりにくくなる。
【先行技術文献】
【特許文献】
【０００４】
【特許文献１】実開平５−６３２５８号公報
【特許文献２】実用新案登録第３１６３４７５号公報
【発明の概要】
【発明が解決しようとする課題】
【０００５】
しかしながら、特許文献１の如きペット用ハーネスは、胴輪部の前側の中央に結束させた手綱を引っ張った場合に、その牽引力が首輪部と胴輪部に分散されるものの、首輪部に加わった牽引力が直接的に動物の頸部に作用してしまうため、動物の頸部が強く圧迫される事態を回避することができない。また、動物の頸部に力が加わらないように首輪部を大きくすると、首輪部から動物の頭部が外れ易くなってしまう。さらに、開放した胴輪部の両端を把持して、胴輪部を動物の胴体の周りに捲回させなければならないので、殊に、大型犬に装着する場合には、装着に手間がかかる、という不具合もある。一方、特許文献２の如きペット用ハーネスは、装着した際に、ペットの胸部、および前肢の周囲が厚地の布によって覆われてしまうため、覆われた部分の通気性が悪くなり、特に夏場には蒸れ易い、という不具合がある。さらに、構成が大掛かりで複雑なものとなってしまうため、製造コストが高い上、損傷し易い、という不具合もある。
【０００６】
本発明の目的は、上記従来のペット用ハーネスが有する問題点を解消し、動物が暴れた場合でも外れにくく、動物の頸部が強く圧迫される事態がまったく起こらない上、動物の制御を容易なものとすることができ、安価かつ容易に製造することが可能なペット用ハーネスを提供することにある。
【課題を解決するための手段】
【０００７】
本発明の内、請求項１に記載された発明は、ペットとして飼われる四足動物に装着させるためのペット用ハーネスであって、外周の長さを同じくする２つの環状体が、上下の二点において互いに交差して結束されており、各環状体の上下の交差点より前側の部分および後側の部分の長さが、それぞれ略同一になっているとともに、前記上側の交差点際に、手綱を係合させるための係合部材が固着されていることを特徴とするものである。
【０００８】
請求項２に記載された発明は、請求項１に記載された発明において、各環状体が、上下の交差点より後側の部分の長さを、上下の交差点より前側の部分の長さよりも長くした状態で互いに結束されており、各環状体の上下の交差点よりも後側の部分の中間が、離反、結合可能になっていることを特徴とするものである。なお、各環状体の上下の交差点よりも後側の部分の中間とは、各環状体の上下の交差点よりも後側の各部分（左右の各部分）における当該上下の交差点間の任意の位置ということである。
【発明の効果】
【０００９】
請求項１に係るペット用ハーネスは、２つの環状体の上下の交差点より前方の部分によって形成される輪の内部に、犬等の四足動物の首を挿入するとともに、２つの環状体の上下の交差点より左側の部分によって形成される輪の内部と、２つの環状体の上下の交差点より右側の部分によって形成される輪の内部とに、それぞれ、動物の左右の前肢を挿入させることによって、動物に良くフィットするように装着することができ、下側の交差点が動物の前肢の中間に位置した状態となる。それゆえ、請求項１に係るペット用ハーネスによれば、上側の交差点に固着されたリング体に結束させた手綱（リード）を引き上げた場合に、動物の前肢が持ち上げられるので、動物の頸部が締め付けられるという事態が生じないため、動物が苦しがる事態が生じない。さらに、手綱を引き上げた場合に、動物の前肢が持ち上げられて後肢２本のみで立ち上がった状態となるため、わずかな力で手綱を左右に振ることが可能となるため、動物の制御が容易なものとなる。また、請求項１に係るペット用ハーネスは、２つの環状体が上下の交差点で結束されており、手綱を引っ張る際に、上下の交差点が動きにくいため、手綱を強く引っ張ったり、動物が暴れたりした場合でも、動物に十分にフィットした状態が保持され、動物から外れてしまう事態が生じない。加えて、請求項１に係るペット用ハーネスは、２つの環状体を２つの点において交差させて結束してなるシンプルな構造を有しているので、安価かつ容易に製造することができる。
【００１０】
請求項２に係るペット用ハーネスによれば、使用時に、２つの環状体の上下の交差点よりも後側の部分の中間（２箇所）を離反させた状態で、２つの環状体の上下の交差点より前側の部分によって形成される輪の内部に、動物の首を挿入するとともに、動物の前肢の後方で、２つの環状体の上下の交差点よりも後側の部分の中間（２箇所）を結合させるだけで、きわめて容易に動物に装着することができる。
【図面の簡単な説明】
【００１１】
【図１】ペット用ハーネスを示す説明図である（ａは外観を示す斜視図であり、ｂは連結部材の雄型連結体および雌型連結体の設置部分を示す斜視図であり、ｃは雄型連結体および雌型連結体の正面図である）。
【図２】ペット用ハーネスを示す説明図（部分平面図）である。
【図３】上側の交差点における２つの環状体の結束状態を示す説明図である（ａは上側結束部材を分解して示す斜視説明図（斜め上方から見た斜視説明図）であり、ｂは上側結束部材の鉛直断面（図２におけるＡ−Ａ線断面）を示す説明図である）。
【図４】下側の交差点における２つの環状体の結束状態を示す説明図である（ａは下側の交差点に下側結束部材が固着された状態を示す斜視説明図（斜め上方から見た斜視説明図）であり、ｂは下側結束部材を取り外した状態を示す斜視説明図（斜め上方から見た斜視説明図）である）。
【図５】ペット用ハーネスを犬に装着した状態を示す説明図である。
【図６】ペット用ハーネスを犬に装着した状態を示す説明図である。
【図７】ペット用ハーネスを犬に装着した状態を示す説明図である。
【図８】ペット用ハーネスの作用を示す説明図である。
【発明を実施するための形態】
【００１２】
以下、本発明に係るペット用ハーネスについて、図面に基づいて詳細に説明する。
【００１３】
＜ペット用ハーネスの構造＞
図１、図２は、本発明に係るペット用ハーネスを示したものであり、ペット用ハーネス１は、２つの環状体２ａ，２ｂ、上側結束部材３、下側結束部材４、係合部材として機能する上側リング体５、下側リング体６、カバー部材２６、ネームタグ７（図５参照）等によって構成されている。
【００１４】
各環状体２ａ，２ｂは、同一形状を有するものであって、裏面にフェルトを縫着した約２０ｍｍの幅で約２８０ｍｍの長さを有する皮革製のベルト８の両端に、互いに連結可能な雄型連結体９と雌型連結体１０とを固着したものである（それらの雄型連結体９および雌型連結体１０は連結部材１１を構成するものである）。各環状体２ａ，２ｂにおいては、雌型連結体１０の固着側の端縁から約１００ｍｍ（雌型連結体１０を除いた長さ）内側に、略円形の上側係止孔１３が穿設されており、雄型連結体９の固着側の端縁から約１８０ｍｍ（雌型連結体１０を除いた長さ）内側に、略円形の下側係止孔１２が穿設されている。
【００１５】
雄型連結体９は、ポリプロピレン等の弾性を発現し得る合成樹脂によって形成されており、四角柱状の支持突起１４の左右に、外向きの鉤状部分を有する鉤状突起１５，１５が設けられている。また、基端には、ベルト８を固着するための横長な２つの取付孔１７、１７が形成されている。そして、ベルト８の片側の端縁が、それらの取付孔１７，１７に、屈曲状に挿通されていることによって、雄型連結体９から外れないようになっている。
【００１６】
一方、雌型連結体１０は、雄型連結体９と同じ合成樹脂によって扁平な筒状に形成されている。そして、内部の中央に、上記した支持突起１４の左右を支持するためのガイド壁（図示せず）が設けられており、左右に、上記した鉤状突起１５を係止させるための係止孔１６，１６が穿設されている。さらに、基端には、ベルト８を固着するための横長な取付孔１８が形成されている。そして、ベルト８の他方の端縁が、当該取付孔１８に挿通されて折返されており、重なり合った部分が縫着されている。
【００１７】
連結部材１１は、雄型連結体９の支持突起１４および鉤状突起１５，１５を雌型連結体１０の筒状部分の内部に押し込み、鉤状突起１５，１５の有する弾性を利用して、鉤状突起１５，１５の外側の鉤状の部分を係止孔１６，１６に嵌め込むことによって、雄型連結体９と雌型連結体１０とを互いに結合させることができるようになっている。また、鉤状突起１５，１５の有する弾性を利用して、係止孔１６，１６から露出している外向きの鉤状部分を内部に押し込んで、鉤状突起１５，１５と係止孔１６，１６との係合状態を解除することにより、雄型連結体９と雌型連結体１０とを離反させることができるようになっている。
【００１８】
上記した２つの環状体２ａ，２ｂは、片方の内部に、他方が入り込んだ状態で、上下の２点（上側係止孔１３の穿設部分および下側係止孔１２の穿設部分）において交差した状態になっている。図３は、上側の交差点（Ｃ１）を示したものであり、上側の交差点においては、２つの環状体２ａ，２ｂが、ネジ部材１９（組みネジ）によって、上側結束部材３を介在させた状態で螺着されている（すなわち、ネジ部材１９によって２つの環状体２ａ，２ｂが結束されているとともに、その結束点に、上側結束部材３が固着されている）。また、その上側結束部材３によって、係合部材として機能する上側リング体５が、姿勢を変化させられるように緩く固定されている。
【００１９】
上側結束部材３は、略相似した形状を有する内側部材２０と外側部材２１とによって構成されている。内側部材２０は、コーナーを面取りした約３０ｍｍ幅の帯状で硬質な皮革を断面Ｕ字状に折り曲げることによって形成されており、前後の長さ（折り曲げた長さ）が約５０ｍｍになっている。そして、上側の部分、下側の部分に、それぞれ、２つずつネジ挿通孔２２，２２が長手方向に沿って並べて穿設されており、上側の部分の各ネジ孔２２，２２と、下側の部分の各ネジ孔２２，２２とが、それぞれ、対峙した状態になっている。
【００２０】
また、外側部材２１は、コーナーを面取りした約２５ｍｍ幅の帯状のアルミニウム板を断面Ｕ字状に折り曲げることによって、内側部材２０よりも一回り小さく形成されており、上側の部分の前後長、下側の部分の前後長が、それぞれ、約４５ｍｍ、約３０ｍｍになっている。そして、上側の部分の外側、下側の部分の中央に、それぞれ、ネジ挿通孔２３が穿設されている。
【００２１】
一方、ネジ部材１９は、ネジ溝を螺刻してなる軸部の基端に大径のヘッド部を一体的に設けてなるボルト体２４と、当該ボルト体２４の軸部のネジ溝と螺合するネジ溝を内部に刻設してなる筒状部の基端に円盤状のフランジを一体的に設けてなるナット体２５とによって構成されている。
【００２２】
さらに、係合部材として機能する上側リング体５は、直径約３．０ｍｍのアルミニウム製の線条を環状に屈曲させたものであり、無端状になっている。また、一部（約３０ｍｍの部分）が、直線状になっている。
【００２３】
上側の交差点（Ｃ１）においては、Ｕ字状に屈曲した外側部材２１が開口側を前側にした姿勢で配置され、その外側部材２１の内部に、内側部材２０が同一の姿勢で嵌め込まれている。さらに、それらの外側部材２１、内側部材２０の内部に、上側リング体５の直線部分が挿入された後に、各環状体２ａ，２ｂのベルト８，８が、上側係止孔１３の穿設部分を重ね合わせた状態で嵌め込まれている。そして、内側部材２０の上内側のネジ挿通孔２２の穿設部分、各ベルト８，８の上側係止孔１３の穿設部分、内側部材２０の下内側のネジ挿通孔２２の穿設部分、外側部材２１の下側のネジ挿通孔２３の穿設部分が、一組のネジ部材１９によって螺着されている。また、交差した各ベルト８，８の前側においては、外側部材２１の上外側のネジ挿通孔２３の穿設部分、内側部材２０の上外側のネジ挿通孔２２の穿設部分、内側部材２０の下外側のネジ挿通孔２２の穿設部分が、別の一組のネジ部材１９によって螺着されている。
【００２４】
一方、図４は、下側の交差点（Ｃ２）を示したものであり、下側の交差点（Ｃ２）においては、２つの環状体２ａ，２ｂが、ネジ部材１９によって、下側結束部材４を介在させた状態で螺着されている（すなわち、ネジ部材１９によって２つの環状体２ａ，２ｂが結束されているとともに、その結束点に、下側結束部材４が固着されている）。また、その下側結束部材４によって、下側リング体６が、姿勢を変化させられるように緩く固定されている。なお、当該下側リング体６には、ネームタグ７が取り付けられている（図５参照）。
【００２５】
下側結束部材４は、コーナーを面取りした約２０ｍｍ幅で約４０ｍｍの長さを有する帯状の硬質な皮革によって形成されており、長手方向の両端縁際に、それぞれ、ネジ挿通孔２７，２７が穿設されてている。
【００２６】
また、下側リング体６は、直径約２．０ｍｍのアルミニウム製の線条を環状に屈曲させたものであり、無端状になっている。また、一部（約２０ｍｍの部分）が、直線状になっている。
【００２７】
下側の交差点（Ｃ２）においては、各環状体２ａ，２ｂのベルト８，８が、下側係止孔１２の穿設部分で重ね合わせられており、それらの重なり合ったベルト８，８の上下の外側に、下側結束部材４が、下側リング体６の内部を挿通した状態で、Ｕ字状に折り曲げられて重ね合わされている。そして、各環状体２ａ，２ｂのベルト８，８の下側係止孔１２，１２と、下側結束部材４の２つのネジ挿通孔２７，２７とが合致しており、それらの各ベルト８，８の下側係止孔１２の穿設部分、下側結束部材４のネジ挿通孔２７，２７の穿設部分が、一組のネジ部材１９によって螺着されている。
【００２８】
さらに、図１に示すように、各環状体２ａ，２ｂのベルト８，８の雄型連結体９の固着部分と下側の交差点（Ｃ２）との間の外周には、筒状のカバー部材２６が取り付けられている。カバー部材２６は、薄い皮革によって表面が裏革となるように筒状に縫製されたものであり、外周が約５０ｍｍで、約１００ｍｍの長さを有している。そして、当該カバー部材２６によって、雄型連結体９の取付孔１７，１７で折り返されたベルト８の端縁が被覆された状態になっている。
【００２９】
＜ペット用ハーネスの使用方法および作用＞
図５、図６は、上記したペット用ハーネス１を動物（犬）に装着した状態を示したものである。ペット用ハーネス１を動物（Ｄ）に装着する場合には、各環状体２ａ，２ｂの連結部材１１の連結状態を解除し（雄型連結体９と雌型連結体１０とを離反させ）、その状態で、２つの環状体２ａ，２ｂの前側の部分によって形成される輪の内部に、動物Ｄの首を挿入する。しかる後に、動物Ｄの左右の前肢の後方で、各環状体２ａ，２ｂの連結部材１１を連結状態にする（雄型連結体９と雌型連結体１０とを結合させる）ことによって、動物Ｄへの装着が完了する。そして、そのように動物Ｄに装着したペット用ハーネス１の上側の交差点（Ｃ１）に固着された上側リング体５に、手綱２８の先端に設けられたワンタッチ式の金具２９等を結合させることによって（図６参照）、動物Ｄを牽引することが可能となる。
【００３０】
上記の如くペット用ハーネス１が動物Ｄに装着されると、図５の如く、下側の交差点（Ｃ２）が動物Ｄの左右の前肢の中央に位置した状態となる。そのため、飼い主等の使用者が、手綱２８を引き上げた場合に、図８の如く、動物Ｄの頸部ではなく、両前肢の付け根の部分に上向きの力が作用するとともに、結束された下側の交差点（Ｃ２）にも同様な上向きの力が作用することとなって、動物Ｄの前肢が持ち上げられるため、動物Ｄの頸部が締め付けられる、という事態が生じない（まったく起こらない）。また、手綱２８を引き上げると、動物Ｄの前肢が持ち上げられて後肢２本のみで立ち上がった状態となるため、わずかな力で手綱２８を左右に振ることが可能となるため、動物Ｄの制御が容易なものとなる。
【００３１】
＜ペット用ハーネスの効果＞
ペット用ハーネス１は、上記の如く、外周の長さを同じくする２つの環状体２ａ，２ｂが、上下の二点において互いに交差して結束されており、各環状体２ａ，２ｂの上下の交差点（Ｃ１，Ｃ２）より前側の部分および後側の部分の長さが、それぞれ略同一になっているとともに、上側の交差点（Ｃ１）際に、手綱２８を係合させるための上側リング体５が固着されているものである。それゆえ、使用者が手綱２８を引き上げた場合に、動物Ｄの前肢が持ち上げられるので、動物Ｄの頸部が締め付けられるという事態が生じない。したがって、ペット用ハーネス１によれば、牽引時に頸部を締め付けられることによって動物Ｄが苦しがる、という事態が生じない。さらに、ペット用ハーネス１によれば、使用者が手綱２８を引き上げた場合に、動物Ｄの前肢が持ち上げられて後肢２本のみで立ち上がった状態となるため、わずかな力で手綱２８を左右に振ることが可能となり、動物Ｄの制御が容易なものとなる。また、ペット用ハーネス１は、２つの環状体２ａ，２ｂが上下の交差点（Ｃ１，Ｃ２）で結束されており、手綱２８を引っ張る際に、上下の交差点（Ｃ１，Ｃ２）が動きにくい（ずれにくい）ため、手綱２８を強く引っ張ったり、動物Ｄが暴れたりした場合でも、動物Ｄに十分にフィットした状態が保持され、動物Ｄから外れてしまう事態が生じない。加えて、ペット用ハーネス１は、２つの環状体２ａ，２ｂを上下２点で交差させて結束させてなるシンプルな構造を有しているので、安価、かつ容易に製造することができる。
【００３２】
また、ペット用ハーネス１は、各環状体２ａ，２ｂが、上下の交差点（Ｃ１，Ｃ２）より後側の部分の長さを、上下の交差点（Ｃ１，Ｃ２）より前側の部分の長さよりも長くした状態で互いに結束されており、各環状体２ａ，２ｂの上下の交差点（Ｃ１，Ｃ２）よりも後側の部分の中間が、連結部材１１によって離反、結合可能になっている。したがって、使用時に、２つの環状体２ａ，２ｂの連結部材１１の連結状態を解除した状態（雄型連結体９と雌型連結体１０とを離反させた状態）で、２つの環状体２ａ，２ｂの上下の交差点（Ｃ１，Ｃ２）より前側の部分によって形成される輪の内部に、動物Ｄの首を挿入するとともに、動物Ｄの前肢の後方で、２つの環状体２ａ，２ｂの連結部材１１を連結状態とする（雄型連結体９と雌型連結体１０とを結合させる）だけで、きわめて容易に動物Ｄに装着することができる。
【００３３】
さらに、ペット用ハーネス１は、各環状体２ａ，２ｂのベルト８，８の外周（雄型連結体９の固着部分と下側の交差点との間の外周）に、筒状のカバー部材２６が取り付けられているので、ベルト８，８との摩擦によって動物Ｄの体表が傷付きにくい。
【００３４】
加えて、ペット用ハーネス１は、各環状体２ａ，２ｂにおいて、上側の交差点（Ｃ１）から連結部材１１への距離を下側の交差点（Ｃ２）から連結部材１１への距離に比べて短くしてあるので、動物Ｄへの装着が非常に容易であるのみならず、手綱２８を引っ張った場合に、各連結部材１１，１１が動物Ｄの脇腹に強く押し付けられる、という事態が生じない。
【００３５】
また、ペット用ハーネス１は、各環状体２ａ，２ｂの連結部材１１の雄型連結体９の取付孔１７，１７で折り返されたベルト８の端縁の長さを変更することにより、各環状体２ａ，２ｂの大きさ（上下の交差点（Ｃ１，Ｃ２）より後側の部分の長さ）を調整することができるため、様々な大きさの動物Ｄに、十分にフィットするように装着することができる。なお、上記の如く、雄型連結体９の取付孔１７，１７で折り返されたベルト８の端縁は、カバー部材２６の内部に隠れた状態となるので、ベルト８の折り返し部分が長くなることによって見栄えが悪くなる、という事態が生じない。
【００３６】
［ペット用ハーネスの変更例］
なお、本発明に係るペット用ハーネスの構成は、上記実施形態の態様に何ら限定されるものではなく、環状体、上側結束部材、下側結束部材、上側リング体、下側リング体、ネームタグ、カバー部材等の材質、形状、構造等の構成を、本発明の趣旨を逸脱しない範囲で、必要に応じて適宜変更することができる。
【００３７】
たとえば、各環状体は、上記実施形態の如く、皮革によって形成されたベルトからなるものに限定されず、ゴム製のベルトや、紐（綿紐やゴム紐等）、金属製のワイヤー等によって構成することも可能である。なお、各環状体を、皮革によって形成されたベルトからなるものとした場合には、上下の交差点における結束が容易なものとなり、製造し易く、損傷しにくいものとなる、というメリットがある。加えて、各環状体を、皮革等からなるベルトの裏面にフェルト等を縫着したものとした場合には、ベルトとの摩擦によって動物の体表が傷付きにくくなる、というメリットがある。
【００３８】
また、環状体の上下の交差点よりも後側の部分の中間を離反、結合可能とする機構（すなわち、環状体を開放・閉塞可能とする機構）は、上記実施形態の如く、雄型連結体と雌型連結体とからなる連結部材に限定されず、帯状体の片端に設けた係止ピンを他端に設けた係止孔に係止させることによって環状体を開放・閉塞できるようにしたもの等に変更することも可能である。加えて、互いに係合する雄型突起と雌型突起とをそれぞれ植設してなる一対の布体からなる面ファスナーを利用することも可能である。
【００３９】
さらに、手綱を係合させるための係合部材は、環状構造を有するものであれば、無端状のものに限定されず、一部を開放させたものでも良い。加えて、上記実施形態の如く、一部が円弧（平面視）を成す環状体に限定されず、平面視略三角形状の環状体等に変更することも可能である。
【００４０】
一方、上側結束部材は、上記実施形態の如く、皮革と金属とを積層したものに限定されず、皮革と合成樹脂や木質材とを積層したものや、合成樹脂や木質材と金属とを積層したもの等に変更することも可能であるし、皮革、金属、合成樹脂や木質材等からなる単体に変更することも可能である。また、下側結束部材は、上記実施形態の如く、皮革からなる単体に限定されず、皮革と金属とを積層したもの、皮革と合成樹脂や木質材とを積層したものや、合成樹脂や木質材と金属とを積層したもの等に変更することも可能であるし、金属、合成樹脂や木質材等からなる単体に変更することも可能である。さらに、上側結束部材や下側結束部材は、必要に応じて任意の色に着色することも可能である。加えて、上側結束部材や下側結束部材には、必要に応じて種々の装飾体を付設することも可能である。
【００４１】
一方、上側結束部材は、上記実施形態の如く、金属製の外側部材の上側を下側より長くして、前端際において、外側部材の上側のみを皮革製の内側部材に螺着させたものに限定されず、金属製の外側部材の上下の長さを略同一にして、前端際において、外側部材の上下とも皮革製の内側部材に螺着させたもの等に変更することも可能である。かかる構成を採用した場合には、万が一、２つの環状体と上側結束部材の基端部分との螺着が外れてしまった場合でも、上側結束部材の前端際が螺着されているため、上側結束部材が２つの環状体から脱離したりしない上、２つの環状体の交差状態を保持できる、というメリットがある。
【００４２】
加えて、環状体の上下の交差点を結束して上側結束部材や下側結束部材を固着させる方法は、上記実施形態の如く、組みネジによる螺着に限定されず、リベット等を用いることも可能である。また、組みネジによって螺着する場合には、バネ座金、歯付き座金やＥ型止め輪等を利用して、長期間に亘って螺着強度が落ちないようにすることも可能である。
【００４３】
また、ペット用ハーネスは、上記実施形態の如く、片方の環状体の内部に他方が入り込んだ状態で上下の２点において交差させたもの（すなわち、上下の交差点において、片方の環状体を外側に位置させ、他方の環状体を内側に位置させたもの）に限定されず、各環状体の上下の交差点よりも後側の部分の中間を離反、結合可能とする場合には、上下の交差点において２つの環状体の重ね方を異ならせたもの（すなわち、上側の交差点では片方の環状体を外側に位置させ、下側の交差点では他方の環状体を外側に位置させたもの）に変更することも可能である。そのように構成した場合には、環状体の厚みを大きくしても動物への装着時のフィット感が損なわれない、というメリットがある。
【産業上の利用可能性】
【００４４】
本発明に係るペット用ハーネスは、上記の如く、優れた効果を奏するものであるから、各種のペットを牽引するためのツールとして好適に用いることができる。
【符号の説明】
【００４５】
１・・ペット用ハーネス
２ａ，２ｂ・・環状体
３・・上側結束部材
４・・下側結束部材
５・・上側リング体
６・・下側リング体
Ｃ１・・上側の交差点
Ｃ２・・下側の交差点
【図１】
2012217412.tif 000003
【図２】
2012217412.tif 000004
【図３】
2012217412.tif 000005
【図４】
2012217412.tif 000006
【図５】
2012217412.tif 000007
【図６】
2012217412.tif 000008
【図７】
2012217412.tif 000009
【図８】
2012217412.tif 000010